(57)【特許請求の範囲】
【請求項１】
ガスと空気を混合する管状部であって所定方向に延びる混合管部の一端が下部に接続されるバーナ本体と、前記バーナ本体の上部に載置されるバーナヘッドとを備え、前記バーナ本体と前記バーナヘッドとの間に複数の炎口を形成するバーナと、
上部が開口される筐体の内部に設けられ、前記バーナ本体を前記筐体の内部に取り付けるための取付台と、
前記バーナヘッドに隣接して設けられ、前記バーナヘッドの前記炎口に点火するための点火手段および前記炎口における火炎を検知するための火炎検知手段と、
前記バーナ本体および前記バーナヘッドを上下に貫通して設けられ、前記炎口に形成される火炎によって加熱される被加熱物の温度を検知するための温度検知手段とを備えたこんろであって、
前記点火手段を固定するための点火手段固定部、前記火炎検知手段を固定するための火炎検知手段固定部、および前記温度検知手段を固定するための温度検知手段固定部とを有し、前記取付台の上側に取り付けられる取付座を備え、
前記取付台は、前記取付座を前記取付台の上面よりも上方に所定の間隔を置いて支持するための支持部を備え、
前記取付座は、
当該取付座の一端側に形成された切欠き部と、
前記切欠き部を挟む位置に設けられ、前記バーナ本体の両側部において前記バーナ本体を固定するためのバーナ固定部とを備え、
前記バーナ本体は、前記バーナ固定部同士を結ぶ方向と前記所定方向とが交差するように前記混合管部を配置して前記バーナ固定部に固定されることを特徴とするこんろ。
【請求項２】
前記取付台は、前記温度検知手段を挿通させるための挿通孔を有しており、
前記取付座は、前記切欠き部の内側であって、前記バーナ固定部同士の間の位置において前記挿通孔に向けて下方に延び、前記温度検知手段固定部が設けられた第一延出部を備え、
前記第一延出部は、前記挿通孔の幅よりも大きな幅を有する部分である第一部分と、前記第一部分の下方に設けられ、前記挿通孔の幅よりも小さな幅を有する部分である第二部分とを備え、
前記取付座は、前記第一部分の下端が前記上面に当接し、且つ、前記第二部分が前記挿通孔に挿入された状態で、前記支持部によって支持されることを特徴とする請求項１に記載のこんろ。
【請求項３】
前記第一延出部は、前記取付座のうち前記切欠き部に接する部分の一部が下方に曲折されてなることを特徴とする請求項２に記載のこんろ。
【請求項４】
前記バーナヘッドを挿通させるバーナ開口、および前記点火手段を挿通させる挿通部を有し、前記筐体の上部に設置されることで前記バーナヘッドおよび前記点火手段のそれぞれを前記バーナ開口の内側および前記挿通部の内側のそれぞれにおいて上方に露出させる天板を備え、
前記取付座は、前記上面から上方に延び、前記点火手段固定部が設けられた第二延出部を備え、
前記第二延出部の上端部は、前記挿通部の下方において前記バーナ本体に向けて延びる部分である第三部分を有することを特徴とする請求項１から３のいずれかに記載のこんろ。
【発明の詳細な説明】
【技術分野】
【０００１】
本発明は、バーナを備えたこんろに関する。
【背景技術】
【０００２】
従来、バーナを備えたこんろが知られている。特許文献１に開示されたこんろは、バーナヘッドの炎口形成部の近傍に、放電による点火を行うための点火電極、火炎の有無を検知するための熱電対、および鍋底温度等の被加熱物の温度を検知するためのセンサを配置している。このこんろは、バーナ、点火電極、熱電対およびセンサをこんろの筐体にそれぞれ設置するための機構として、取付台、取付座、第１フレーム部材および第２フレーム部材を備えている。取付座は、長手方向の両端が上方に折り曲げられるとともに、両端部に対して下方に凹み、中央にバーナ本体を受け入れ可能な左右幅を有する凹部を有しており、凹部の内側にセンサを係止する。第１フレーム部材は、点火電極および熱電対を設置する。第２フレーム部材は、バーナ本体を固定するとともに、こんろの天板とバーナとを連結する。取付台の上に取付座が、取付座の上に第１フレーム部材が設置された状態で、取付座の凹部にバーナ本体が載置される。そしてバーナ本体の上側から第２フレーム部材が取付台に対してねじ止めされる。
【先行技術文献】
【特許文献】
【０００３】
【特許文献１】特開２０１２−３２０９７号公報
【発明の概要】
【発明が解決しようとする課題】
【０００４】
しかしながら、バーナ本体は上下方向に高さを有するため、バーナ本体との干渉を避けるために取付台および取付台に取り付けられる部品の形状が複雑なものになりやすく、取付台および取付台に取り付けられる部品の形状の精度が保たれにくくなる可能性がある。また、取付台に取り付けられる部品点数が増加するにつれて、それぞれの部品が取付台に取り付けられる際に生ずる公差が集積して、部品毎の位置ずれが発生しやすくなる。これに伴い、点火電極、熱電対およびセンサのバーナヘッドに対する位置ずれも発生しやすくなる。点火電極、熱電対およびセンサのバーナヘッドに対する位置ずれが生ずることは、バーナの点火性能および各種の検出性能が低下する可能性があり、好ましくない。また、取付台に取り付けられる部品点数が増加することは、製造コスト・管理コスト軽減の観点からも好ましくないといった問題がある。
【０００５】
本発明はこのような問題点を解決するためになされたものであり、少ない部品点数でバーナおよびバーナに近接配置される電装品を精度良く配置できるこんろを提供することを目的とする。
【課題を解決するための手段】
【０００６】
本発明の請求項１に係るこんろは、ガスと空気を混合する管状部であって所定方向に延びる混合管部の一端が下部に接続されるバーナ本体と、前記バーナ本体の上部に載置されるバーナヘッドとを備え、前記バーナ本体と前記バーナヘッドとの間に複数の炎口を形成するバーナと、上部が開口される筐体の内部に設けられ、前記バーナ本体を前記筐体の内部に取り付けるための取付台と、前記バーナヘッドに隣接して設けられ、前記バーナヘッドの前記炎口に点火するための点火手段および前記炎口における火炎を検知するための火炎検知手段と、前記バーナ本体および前記バーナヘッドを上下に貫通して設けられ、前記炎口に形成される火炎によって加熱される被加熱物の温度を検知するための温度検知手段とを備えたこんろであって、前記点火手段を固定するための点火手段固定部、前記火炎検知手段を固定するための火炎検知手段固定部、および前記温度検知手段を固定するための温度検知手段固定部とを有し、前記取付台の上側に取り付けられる取付座を備え、前記取付台は、前記取付座を前記取付台の上面よりも上方に所定の間隔を置いて支持するための支持部を備え、前記取付座は、当該取付座の一端側に形成された切欠き部と、前記切欠き部を挟む位置に設けられ、前記バーナ本体の両側部において前記バーナ本体を固定するためのバーナ固定部とを備え、前記バーナ本体は、前記バーナ固定部同士を結ぶ方向と前記所定方向とが交差するように前記混合管部を配置して前記バーナ固定部に固定されることを特徴とする。
【０００７】
請求項２に係るこんろは、請求項１に記載の構成に加えて、前記取付台は、前記温度検知手段を挿通させるための挿通孔を有しており、前記取付座は、前記切欠き部の内側であって、前記バーナ固定部同士の間の位置において前記挿通孔に向けて下方に延び、前記温度検知手段固定部が設けられた第一延出部を備え、前記第一延出部は、前記挿通孔の幅よりも大きな幅を有する部分である第一部分と、前記第一部分の下方に設けられ、前記挿通孔の幅よりも小さな幅を有する部分である第二部分とを備え、前記取付座は、前記第一部分の下端が前記上面に当接し、且つ、前記第二部分が前記挿通孔に挿入された状態で、前記支持部によって支持されることを特徴とする。
【０００８】
請求項３に係るこんろは、請求項２に記載の構成に加えて、前記第一延出部は、前記取付座のうち前記切欠き部に接する部分の一部が下方に曲折されてなることを特徴とする。
【０００９】
請求項４に係るこんろは、請求項１から３のいずれかに記載の構成に加えて、前記バーナヘッドを挿通させるバーナ開口、および前記点火手段を挿通させる挿通部を有し、前記筐体の上部に設置されることで前記バーナヘッドおよび前記点火手段のそれぞれを前記バーナ開口の内側および前記挿通部の内側のそれぞれにおいて上方に露出させる天板を備え、前記取付座は、前記上面から上方に延び、前記点火手段固定部が設けられた第二延出部を備え、  前記第二延出部の上端部は、前記挿通部の下方において前記バーナ本体に向けて延びる部分である第三部分を有することを特徴とする。
【発明の効果】
【００１０】
請求項１に係るこんろは、取付座に切欠き部を備えるとともに、切欠き部を挟んだ位置にバーナ固定部を備えているので、取付座の形状を上下方向に複雑にすることなく、バーナ本体と取付座とが干渉することなく、バーナ固定部にバーナ本体の両側部を固定できる。取付座の形状が上下方向に複雑にならないので、取付座は、点火手段固定部、火炎検知手段固定部および温度検知手段固定部のそれぞれを自身に設けることができる。点火手段、火炎検知手段および温度検知手段が全て取付座に取り付けられるので、点火手段、火炎検知手段および温度検知手段がそれぞれ別の部品に取り付られるよりも、バーナに対して点火手段、火炎検知手段および温度検知手段が精度良く配置される。取付台に取り付けられる部品の点数が削減されることで、製造コスト・管理コストが軽減され、また、こんろの組み付け作業が容易になる。バーナ本体は下部に混合管を備えているので、上下方向に高さを有する。取付台には支持部が備えられており、取付座は取付台の上面よりも上方に所定の間隔を置いて支持される。このため、取付台の上方の切欠き部に対応する部分おいて、バーナ本体を配置するスペースが確保される。さらに、切欠き部を挟むバーナ固定部同士を結ぶ方向と混合管の延びる方向とが交差するように混合管部を配置することで、点火手段、火炎検知手段および温度検知手段のそれぞれが、混合管部の延びる方向を基準にして、バーナに対して位置決めされて配置される。このような取付台および取付座の形状の工夫により、請求項１に係るこんろは、少ない部品点数でバーナおよびバーナに近接配置される点火手段、火炎検知手段および温度検知手段を精度良く配置できる。
【００１１】
請求項２に係るこんろは、請求項１に記載の発明の効果に加えて、取付台の挿入孔に対して第一延出部の第一部分の下端が取付台の上面に当接するとともに、第二部分が挿通孔に挿入された状態で、取付座が支持部によって支持されるので、取付台に対する取付座の位置合わせが容易である。また、取付台の挿入孔に対して第一延出部の第一部分の下端が取付台の上面に当接した状態で、取付座が支持部によって支持されるので、延出部に設けられた温度検知手段固定部の上下方向における位置が安定する。従って、温度検知手段がバーナに対して精度良く配置される。
【００１２】
請求項３に係るこんろは、請求項２に記載の発明の効果に加えて、取付座のうち切欠き部に接する部分の一部が下方に曲折されることで、第一延出部が形成されるので、第一延出部を取付座と一体に成型できる。このため、温度検知手段に固定される温度検知手段がバーナ本体およびバーナヘッドを貫通する位置が安定する。
【００１３】
天板に設けられた挿通部を空気が上下に流れる場合、空気の流れの大きさによっては、バーナヘッドから流出するガスと空気の混合気が点火手段に到達することが妨げられ、点火手段によってバーナヘッドに点火し難いことがある。請求項４に係るこんろは、請求項１から３のいずれかに記載の発明の効果に加えて、第二延出部の上端部に第三部分が設けられているので、挿通部におけるバーナ本体側の隙間が第三部分によって覆われる。このため、挿通部におけるバーナ本体側の隙間を介して空気が上下に流れることが、第三部分によって阻害される。これにより、点火手段による点火性能の低下が防止される。
【図面の簡単な説明】
【００１４】
【図１】こんろ１の斜視図である。
【図２】こんろ１後面から見た斜視図である。
【図３】トッププレート３の斜視図である。
【図４】筐体２の斜視図である。
【図５】筐体２内部にガスバーナ５、鍋センサ５３、点火電極５４および熱電対５５をそれぞれ取り付けるための取付機構を示す分解斜視図である。
【図６】取付座７０の斜視図である。
【図７】取付台６０に取付座７０および突出部８０が取り付けられた状態を示す斜視図である。
【図８】取付台６０に取付座７０、突出部８０およびガスバーナ５が取り付けられた状態を示す平面図である。
【図９】取付台６０に取付座７０、突出部８０およびガスバーナ５が取り付けられた状態を示す正面図である。
【図１０】バーナ本体５０の周辺部を示す拡大平面図である。
【発明を実施するための形態】
【００１５】
以下、本発明の実施形態について、図面を参照して説明する。以下説明は、図中に矢印で示す上下、左右、前後を使用する。なお、図１に示すテーブルこんろ１（以下、単に、こんろ１と称する。）は、テーブルこんろであるが、ビルトインこんろ等であってもよい。
【００１６】
図１および図２を参照して、こんろ１の構造について説明する。こんろ１は、器具本体を構成する筐体２と、トッププレート３とを備える。筐体２は、上面に開口部２５（図４参照）を備えた略直方体状に形成された金属製である。筐体２の内部には、左右一対のガスバーナ５，５が配置されている。本実施形態において、トッププレート３は、板金をプレス加工することで形成されており、一枚の板金からなる。トッププレート３の少なくとも上面には、煮こぼれした液体等による汚れの固着を防止するため、ホーローによるコーティングが施されている。トッププレート３は、筐体２の開口部２５を閉塞して、筐体２の上部に固定されている。トッププレート３には、左右一対の略円形のバーナ開口４，４が形成されており、トッププレート３が筐体２の上部に設置されることで、ガスバーナ５が筐体２側から上方に突出して、各バーナ開口４の中央に臨む。ガスバーナ５，５の各周囲には、五徳６，６がそれぞれ配置されている。五徳６，６の各上部には、鍋、フライパン等を含む調理器具等の被加熱物（図示せず）が載置される。
【００１７】
ガスバーナ５は、筐体２の内部に配置されたバーナ本体５０（図５参照）と、バーナヘッド５２とを主に備える。バーナ本体５０の上部にバーナヘッド５２が載置されることで、バーナヘッド５２の外周部に多数の炎口５１が形成される。炎口５１は、バーナ開口４，４よりも上方に配置されるので、バーナヘッド５２は、燃料ガスの燃焼に必要な空気を十分に確保できる。バーナヘッド５２の中央には、内部にサーミスタを格納し、鍋底温度等、被加熱物の温度を検知するための鍋センサ５３が、バーナヘッド５２およびバーナ本体５０の中央を貫通するように設けられている。図２に示すように、バーナヘッド５２後方の炎口５１近傍には、放電による点火を行うための軸状の点火電極５４および火炎の有無を検知するための軸状の熱電対５５が設けられている。点火電極５４と熱電対５５とがバーナヘッド５２の後方側に配置されることで、筐体２正面側からこんろ１を使用する使用者から、点火電極５４と熱電対５５が視認されにくくなる。このため、こんろ１の外観がすっきりとするので、こんろ１の美観が向上する。
【００１８】
筐体２の正面中央には、グリル扉１０が設けられている。グリル扉１０の下部には、取っ手１０Ａが前方に突出して設けられている。こんろ１の使用者は、取っ手１０Ａを把持してグリル扉１０を引き出すことで、グリル庫７（図４参照）を開閉できる。トッププレート３の後方には、複数の排気孔を備える排気口カバー７Ｂが設置されている。排気口カバー７Ｂは、後述のグリル排気口７Ａ（図３参照）を上側から覆うカバー部材である。
【００１９】
グリル扉１０の右側には、点火スイッチ１１，１２等がそれぞれ設けられている。点火スイッチ１１は、グリル扉１０の右側に隣接して設けられ、右側のガスバーナ５の点火／消火の操作を行う。点火スイッチ１１が押下操作されると、バーナ本体５０へ一次空気と燃料ガスが供給され、混合気となってバーナヘッド５２の炎口５１から流出する。同時に、筐体２の内部に設けられた図示しないコントローラが点火電極５４を放電させて混合気に点火し、バーナヘッド５２の外周部に火炎が形成される。また、ガスバーナ５が点火されている状態で点火スイッチ１１が操作されると、ガスバーナ５は消火される。点火スイッチ１２は、点火スイッチ１１の右隣に設けられ、グリル庫７の内部に設けられた上バーナおよび下バーナ（図示せず）の点火／消火の操作を行う。
【００２０】
グリル扉１０の左側には、点火スイッチ１３、電池ケース１４等がそれぞれ設けられている。点火スイッチ１３は、グリル扉１０の左側に隣接して設けられ、左側のガスバーナ５の点火／消火の操作を行う。電池ケース１４は、点火スイッチ１３の左隣に設けられ、こんろ１の電源として、例えば二つの乾電池（図示せず）を格納する。
【００２１】
図３を参照して、トッププレート３の構造について説明する。トッププレート３は、筐体２上面の開口部２５に対応する大きさの矩形状に形成されている。トッププレート３の上面３１における後方には、左右に延びる略長方形状の孔部であるグリル排気口７Ａが設けられている。グリル排気口７Ａは、グリル庫７と連通して、グリル庫７内部の排気を行う。グリル排気口７Ａの左右の両側には、排気口カバー７Ｂを位置決めするための複数の孔部７Ｄが設けられている。
【００２２】
トッププレート３の外縁には、上面３１から延設された板金が筐体２上部の外周に沿うように下方に折り返された外周部３９が設けられている。トッププレート３は、筐体２の上部に配置され、外周部３９の複数の所定位置においてねじ止めされて筐体２に固定されている。
【００２３】
トッププレート３の上面３１に設けられた中央凹部３２には、バーナ開口４，４が設けられている。本実施形態において、こんろ１は、トッププレート３を筐体２に固定するためのねじ止め部分を上面３１および中央凹部３２に設けていないので、上側から見たトッププレート３の美観が保たれる。また、こんろ１は、煮こぼれを直接に受けにくい外周部３９にねじ止め部分を設けているので、ねじ孔の隙間を介して煮こぼれ等の液体が浸入し難く、トッププレート３の下面および筐体２の内部に汚れや錆等が生じ難い。
【００２４】
中央凹部３２において、バーナ開口４，４およびその周辺部は、それぞれ同じ構成を備える。バーナ開口４の周縁部には、五徳装着部３３が設けられている。五徳装着部３３は、トッププレート３に五徳６を配置するために設けられる部位である。五徳装着部３３は、り、平面視略円形状に形成され、中央凹部３２よりも上方に膨出する。五徳装着部３３には、五徳６の五徳リング６Ａが上方から装着される（図１参照）。
【００２５】
五徳装着部３３は、電極挿通部３３４、熱電対挿通部３３５を備える。電極挿通部３３４および熱電対挿通部３３５は、点火電極５４および熱電対５５を五徳装着部３３の下側から上側へ挿通させるための部位であり、前述の点火電極５４および熱電対５５の設置位置に対応して設けられている。電極挿通部３３４および熱電対挿通部３３５はバーナ開口４の後側において、バーナ開口４に連続して窪んだ部分である。
【００２６】
図４を参照して、筐体２の内部構造について説明する。筐体２は、前壁２１、右側壁２２、左側壁２３、後壁２４、底壁（図示せず）を備える。前壁２１、右側壁２２、左側壁２３、後壁２４によって囲まれてなる筐体２の開口部２５の内側に、グリル庫７、一対の取付台６０，６０、ガスバーナ５，５等が備えられている。グリル庫７は、開口部２５の略中央に配置される略直方体状である。グリル庫７の後部には、グリル庫７の内部と前述のグリル排気口７Ａとに連通してグリル庫７内部の燃焼排気をこんろ１の外部へ排出するための排気部７Ｃが設けられている。
【００２７】
一対の取付台６０，６０は、筐体２の左部および右部から開口部２５の内側へ向けて延び、筐体２の内部にガスバーナ５，５を固定するための骨組である。左側の取付台６０は、開口部２５の前後方向における略中央において、左側壁２３とグリル庫７との間に架設される。右側の取付台６０は、開口部２５の前後方向における略中央において、右側壁２２とグリル庫７との間に架設される。取付台６０は、前後方向において対称となるように形成されており、左側の取付台６０と右側の取付台６０は同一形状である。左側の取付台６０は左側のガスバーナ５を、右側の取付台６０は右側のガスバーナ５を、それぞれの上部において支持する。一対の取付台６０，６０は、左側壁２３および右側壁２２とグリル庫７とを架設することで、こんろ１全体の強度を向上する役割も担う。なお、実際のこんろ１においては、グリル庫７の上方を覆い、グリル庫７の熱がトッププレート３に伝導することを防止するための遮熱板（図示せず）が設けられるが、筐体２の内部構造をわかりやすく示すため、遮熱板の図示を省略している。
【００２８】
ガスバーナ５，５は、後述する取付座７０（図５参照）を介して、一対の取付台６０，６０のそれぞれに対してねじ止めによって取り付けられている。ガスバーナ５は、前述のバーナヘッド５２に加え、バーナ本体５０、混合管部５６を備える。バーナ本体５０は、平面視で中央に円孔を有する環状であり（図５参照）、内部が中空に形成されている。混合管部５６は、ガスと一次空気を混合し、ガスと空気の混合気をバーナ本体５０に向けて通過させる中空の管状部である。混合管部５６は、前方から後方に向けて上方に傾斜しながら、略前後方向に沿って延びる。混合管部５６の前端は、火力調節装置（図示せず）に接続している。火力調節装置は、点火スイッチ１１，１２等の操作に応じて混合管部５６にガスを供給する装置であり、前壁２１と混合管部５６の前端との間に設置されている。混合管部５６の後端は、バーナ本体５０の下部５０Ａに接続している。バーナ本体５０の下部５０Ａの左側部にはフランジ部５７が設けられている（図５参照）。下部５０Ａの右側部にはフランジ部５８が設けられている。フランジ部５７，５８には、フランジ部５７，５８のそれぞれを上下に貫通する丸穴である固定穴５７１，５８１がそれぞれ設けられている（図５参照）。固定穴５７１，５８１は、取付座７０を介して取付台６０にバーナ本体５０を固定するためのねじ孔である。
【００２９】
図５から図７を参照して、筐体２内部にガスバーナ５、鍋センサ５３、点火電極５４および熱電対５５をそれぞれ取り付けるための取付機構について説明する。取付機構は、取付台６０、取付座７０、突出部８０を備える。なお、図５は、左側のガスバーナ５についての取付機構を示す。左側のガスバーナ５の取付機構における取付台６０および取付座７０は、右側のガスバーナ５の取付機構における取付台６０および取付座７０と左右対称の構造を有するので、右側のガスバーナ５の取付機構については、説明を省略する。本実施形態では、取付台６０、取付座７０、突出部８０は、それぞれ一枚の金属板によって形成されている。
【００３０】
取付台６０は、左右方向に延びる金属製の帯状である。取付台６０の上面６１には、センサ開口６１２、第一支持部６２および第二支持部６３が設けられている。センサ開口６１２は、鍋センサ５３を取付台６０に挿通させるため、上面６１の略中央に形成された平面視略長方形状の孔部である。センサ開口６１２の左右方向の長さはＬ１である（図５参照）。
【００３１】
第一支持部６２および第二支持部６３は、所定の高さを有し、後述の取付座７０を上面６１に対して所定の間隔を置いて支持するための部位である。第一支持部６２は、センサ開口６１２の左側に設けられている。第一支持部６２は、立設部６２１および上側固定部６２２を備える。立設部６２１は、センサ開口６１２の左側の上面６１の一部が上方に折り曲げられて形成されている。上側固定部６２２は、立設部６２１の上端から左方に略水平に延びる板状に形成されている。第二支持部６３は、センサ開口６１２の右側に設けられており、センサ開口６１２を挟んで第一支持部６２と対向している。第二支持部６３は、立設部６３１および上側固定部６３２を備える。立設部６３１は、センサ開口６１２の右側の上面６１の一部が上方に折り曲げられて形成されている。上側固定部６３２は、立設部６３１の上端から右方に略水平に延びる板状に形成されている。上側固定部６２２，６３２には、固定穴６２３，６３３がそれぞれ設けられている。固定穴６２３，６３３は、上側固定部６２２，６３２のそれぞれを上下に貫通する丸穴である。上面６１と上側固定部６２２，６３２のそれぞれの上面との間の長さは、図５に示すＬ２である。
【００３２】
取付台６０の左端には、垂直上方に延びる壁部６１３が立設されている。壁部６１３は、取付台６０が左側壁２３とグリル庫７との間に架設されるときに左側壁２３に当接して、取付台６０を左右方向において位置決めする（図４参照）。取付台６０の右端には、垂直上方に延びる壁部６１４と、壁部６１４の上端から右方へ略水平に延びる上側部６１５とを備える。壁部６１４および上側部６１５は、前述の遮熱板をグリル庫７の上面とトッププレート３の下面との間において支持するために設けられている。上面６１のうち壁部６１３と第一支持部６２との間の部分には、上面６１を上下に貫通する丸穴である固定穴６１１が設けられている。
【００３３】
取付座７０は、ガスバーナ５、鍋センサ５３、点火電極５４および熱電対５５を取付台６０に固定するための部材である。取付座７０は金属製であり、左側板部７４、右側板部７５、架設部７１、第一固定部７２、第二固定部７３および第三固定部７６を備える。左側板部７４は、取付座７０の左部において平面視略長方形状に形成され、第一支持部６２の上側固定部６２２の上面に載置される。左側板部７４には、上方に向かって延出する起立部７４２，７４３と、起立部７４２，７４３の間の位置において左側板部７４を上下に貫通する丸穴である固定穴７４１とが設けられている。右側板部７５は、取付座７０の右部において平面視略長方形状に形成され、第二支持部６３の上側固定部６３２の上面に載置される。右側板部７５には、上方に向かって延出する起立部７５２，７５３と、起立部７５２，７５３の間の位置において右側板部７５を上下に貫通する丸穴である固定穴７５１とが設けられている。架設部７１は、左側板部７４と右側板部７５との間を左右方向に延びて架設する面部である。左側板部７４、右側板部７５および架設部７１それぞれの上面は、上下方向において略同じ位置に配置されている。
【００３４】
第一固定部７２は、架設部７１の後部の左右方向略中央に設けられ、点火電極５４を取付座７０に固定するための部位である。第一固定部７２は、立柱部７２１、折返部７２２を備える。立柱部７２１は、架設部７１の後部の左右方向略中央の部分が略垂直上方に折り曲げられて形成されている。立柱部７２１の略中央には、点火電極５４の軸部と略同一の曲率で前方に湾曲して上下方向に延びる湾曲部７２３，７２４が設けられている（図６参照）。折返部７２２は、立柱部７２１の上端が前方に折り返されて略水平に延びる部分である。点火電極５４は、その軸部を立柱部７２１の湾曲部７２３，７２４に沿わせた状態で、所定の針金等を用いて第一固定部７２に固定される。
【００３５】
第二固定部７３は、架設部７１の後部において第一固定部７２の右側に設けられ、熱電対５５を取付座７０に固定するための部位である。第一固定部７２は、立設部７３１、一対の係止爪７３２，７３２（図６参照）を備える。立設部７３１は、架設部７１の後部の第一固定部７２の右側部分が斜め上方に折り曲げられて形成されている。一対の係止爪７３２，７３２は、立設部７３１の延出方向先端部に設けられている。熱電対５５は、その軸部が一対の係止爪７３２，７３２によって挟持された状態で、所定の針金等を用いて第二固定部７３に固定される。
【００３６】
第三固定部７６は、架設部７１の前部の左右方向略中央に設けられ、鍋センサ５３を取付座７０に固定するための板状部である。第三固定部７６は、架設部７１の前部の左右方向略中央の部分が、左右方向に所定の長さを有して下方に略直角に折り曲げられて形成されている。第三固定部７６は、第一延出部７６１および第二延出部７６２を備える。第一延出部７６１は、第三固定部７６の上部を構成する。第一延出部７６１の左右方向の長さはＭ１である（図６参照）。第一延出部７６１の上下の長さ、即ち、第三固定部７６が架設部７１の前部において折り曲げられている部分に相当する第一延出部７６１の上端７６６と下端７６１Ａとの間の長さはＭ３である（図６参照）。第一延出部７６１の上端７６６の左右方向略中央には、一対の上係止爪７６４，７６４が設けられている。なお、本実施形態では、Ｍ３と前述のＬ２とは、同じ長さである。
【００３７】
第二延出部７６２は、第一延出部７６１の左右方向における略中央において、左右方向に所定の長さを有して第一延出部７６１よりもさらに下方に延びる部分である。第二延出部７６２の左右方向の長さは第一延出部７６１の左右方向の長さよりも短い。第二延出部７６２の左右方向の長さはＭ２である（図６参照）。Ｍ２はＭ１よりも短い。また、前述のＬ１は、Ｍ２よりも長く、Ｍ１よりも短い。
【００３８】
第二延出部７６２は、一対の下係止爪７６５，７６５、固定穴７６３を備える。一対の下係止爪７６５，７６５は、第二延出部７６２の下端の左右方向略中央に設けられている。固定穴７６３は、第二延出部７６２の右部の上下方向略中央に設けられている円孔である。鍋センサ５３は、その軸部の下端部に金属製のホルダ５３Ａを装着している。鍋センサ５３は、その軸部を一対の上係止爪７６４，７６４および一対の下係止爪７６５，７６５のそれぞれに挟持された状態で、ねじ５３Ｂによってホルダ５３Ａに設けられている図示しないねじ孔を介して固定穴７６３にねじ止めされる。
【００３９】
なお、図６に示すように、取付座７０の前端部のうち、左側板部７４の右端７４４と、第一延出部７６１の上端７６６と、右側板部７５の左端７５４とに囲まれた部分に切欠き部７１１が形成されている。固定穴７４１，７５１は、切欠き部７１１を左右に挟む位置に配置されている。固定穴７４１，７５１は、取付座７０にバーナ本体５０を固定するためのねじ孔である。
【００４０】
突出部８０は、上方へ突出する段部を形成するように所定の幅で折り曲げられた金属製の板によって構成される部材であり、取付台６０に対して取付座７０の左方に取り付けられる。突出部８０の上方に突出する部分は、左右方向に所定の幅を有し、筐体２の左部および右部において前後方向に延びる平面視略長方形状である。突出部８０は、基部８１、壁部８２、上面部８３、折曲部８４を備える。基部８１は、突出部８０の最下部において略水平に延びる面部である。基部８１の略中央部には図示しないねじ孔が設けられており、基部８１は、このねじ孔を介してねじ９１によって取付台６０の固定穴６１１にねじ止めされる。壁部８２は、基部８１から略垂直上方に延びる面部である。上面部８３は、壁部８２の上端から右方へ略水平に延びる面部である。折曲部８４は、上面部８３の右端が下方に折り曲げられて形成されている。
【００４１】
突出部８０と取付台６０の壁部６１４および上側部６１５とは、ガスバーナ５を左右に互いに挟むように配置されている。取付台６０の上面６１に対する上面部８３の高さは、取付台６０の上面６１に対する上側部６１５の高さと略同一である。上面部８３および上側部６１５は、筐体２の内部においてトッププレート３の中央凹部３２の下面よりも下方に配置されている。ガスバーナ５において燃焼が行われると、トッププレート３のバーナ開口４近傍の部分が熱によって歪む熱歪みが生じることがある。こんろ１は、上面部８３および上側部６１５を備えているので、熱歪みによって中央凹部３２が上面部８３および上側部６１５よりも下方に変位することが防止される。
【００４２】
図５および図７を参照して、取付台６０に取付座７０、突出部８０およびガスバーナ５を取り付ける手順について説明する。まず、作業者は、点火電極５４、熱電対５５および鍋センサ５３のそれぞれを、取付座７０の第一固定部７２、第二固定部７３および第三固定部７６のそれぞれに固定する。
【００４３】
次いで、作業者は、取付座７０の第三固定部７６を、取付台６０のセンサ開口６１２に挿入させる。第三固定部７６のうち、第一延出部７６１の左右方向の長さはＭ２であり、センサ開口６１２の左右方向の長さＬ１よりも長い。一方、第二延出部７６２の左右方向の長さＭ３は、Ｌ１よりも短い。このため、図７に示すように、第三固定部７６のうち第二延出部７６２がセンサ開口６１２に挿入され、第一延出部７６１はセンサ開口６１２に挿入されず、下端７６１Ａがセンサ開口６１２の外側の位置にあたる上面６１に当接する。このとき、作業者は、センサ開口６１２に挿入されている第二延出部７６２の後面がセンサ開口６１２の最後部に接する位置に、取付座７０を配置する。
【００４４】
そして、作業者は、上側固定部６２２に設けられている固定穴６２３と、左側板部７４に設けられている固定穴７４１とが上下方向に重なり合うように位置決めする。また、作業者は、上側固定部６３２に設けられている固定穴６３３と、右側板部７５に設けられている固定穴７５１とが上下方向に重なり合うように位置決めする。本実施形態では、センサ開口６１２の前後方向の長さが、取付座７０の切欠き部７１１の前後方向の長さに対応している。また、センサ開口６１２に第二延出部７６２が挿入されており、取付座７０の左右方向における位置がある程度規制されるので、固定穴６２３，６３３に対する固定穴７４１，７５１の位置決めが容易である。
【００４５】
そして、固定穴６２３，６３３に固定穴７４１，７５１が重なり合った状態で、第一支持部６２および第二支持部６３の上に取付座７０が、載置される。取付座７０は、上側固定部６２２，６３２によって左側板部７４および右側板部７５のそれぞれが支持されることに加えて、上面６１に下端７６１Ａが当接しているので、取付座７０の上下方向における位置が安定する。また、上面６１に下端７６１Ａが当接するので、上面６１に対して第三固定部７６の上下方向における位置が規定され、バーナ本体５０に対する鍋センサ５３の位置が安定する。このようにして、作業者は、センサ開口６１２を用いて、取付座７０の上下方向および前後方向における位置合わせを容易に行うことができる。また、これらの作業によって、鍋センサ５３がセンサ開口６１２を上下に挿通される。
【００４６】
次いで、作業者は、ガスバーナ５を取付台６０に取り付けるため、バーナ本体５０の下部５０Ａのフランジ部５７，５８の位置合わせを行う。まず、作業者は、鍋センサ５３がバーナ本体５０の中央に挿入されるようにして、取付座７０の上方にバーナ本体５０を配置する。そして、フランジ部５７の外縁が左側板部７４の起立部７４２，７４３に、また、フランジ部５８の外縁が右側板部７５の起立部７５２，７５３にそれぞれ当接するように、バーナ本体５０の位置合わせを行う。作業者は、この状態でバーナ本体５０を取付座７０に載置する。これにより、フランジ部５７の固定穴５７１が、上側固定部６２２の固定穴６２３および左側板部７４の固定穴７４１に対して、上下方向に重なるように位置決めされる。また、フランジ部５８の固定穴５８１が、上側固定部６３２の固定穴６２３および右側板部７５の固定穴７５１に対して、上下方向に重なるように位置決めされる。本実施形態では、切欠き部７１１の左右方向の長さは、フランジ部５７，５８を除いたバーナ本体５０の下部５０Ａの左右方向の長さよりも僅かに長くされている。このため、切欠き部７１１にバーナ本体５０の下部５０Ａが納まるようにバーナ本体５０が配置される。そして、作業者は、図示しないねじを、上側固定部６２２の固定穴６２３および左側板部７４の固定穴７４１を介して、フランジ部の固定穴５７１にねじ止めする。また、作業者は、図示しないねじを、上側固定部６３２の固定穴６３３および右側板部７５の固定穴７５１を介して、フランジ部の固定穴５８１にねじ止めする。
【００４７】
次いで、作業者は、ねじ９１を用いて取付台６０の固定穴６１１に突出部８０の基部８１をねじ止めして、突出部８０を取付台に取り付ける。なお、突出部８０が取付台６０に対して取り付けられると、折曲部８４の下端８４１が取付座７０に上側から当接するので、取付座７０が前後方向に傾くことが規制される。
【００４８】
次いで、作業者は、バーナヘッド５２を、バーナヘッド５２の中央に鍋センサ５３が挿入されるようにしてバーナ本体５０の上方に配置した後、バーナヘッド５２をバーナ本体５０の上部に載置する。これにより、取付台６０への取付座７０、突出部８０およびガスバーナ５の取り付けが完了する。
【００４９】
図８に示すように、取付台６０に取付座７０、突出部８０およびガスバーナ５が取り付けられると、鍋センサ５３、点火電極５４および熱電対５５のそれぞれが、バーナ本体５０の近傍に配置される。なお、図８では、点火電極５４、熱電対５５を見やすくするために、バーナヘッド５２の図示を省略している。鍋センサ５３、点火電極５４、熱電対５５およびバーナ本体５０は、一つの部材である取付座７０に対して固定されているので、これらの部品が別々の取付機構に取り付けられる場合に比べて、公差の集積による部品間の位置ずれが生じにくい。このため、バーナ本体５０に対する鍋センサ５３、点火電極５４、熱電対５５の配置にずれが生じにくいので、こんろ１は、ガスバーナ５の点火性能および各種の検出性能を良好に保つことができる。また、取付座７０を取付台６０に取り付けることによって、取付台６０にガスバーナ５、鍋センサ５３、点火電極５４および熱電対５５のそれぞれを一度に固定できる。こんろ１は、ガスバーナ５、鍋センサ５３、点火電極５４および熱電対５５を取付台６０に取り付けるための部品点数を削減でき、こんろ１の製造コスト・管理コストが軽減される。
【００５０】
また、図８に示すように、本実施形態では、バーナ本体５０に接続している混合管部５６の延びる方向を示す仮想直線Ｐと、固定穴５７１と固定穴５８１とを通過する仮想直線Ｑとが交差するようにして、バーナ本体５０が取付台６０に対して取り付けられている。なお、取付台６０に取付座７０、突出部８０およびガスバーナ５が取り付けられた状態で、固定穴５７１は、左側板部７４の固定穴７４１および上側固定部６２２の固定穴６２３は、上下方向に重なり合っている。また、固定穴５８１は、右側板部７５の固定穴７５１および上側固定部６３２の固定穴６３３は、上下方向に重なり合っている。固定穴７４１，７５１は、切欠き部７１１を左右に挟む位置に配置されているので（図６参照）、仮想直線Ｑは、切欠き部７１１を横切るように配置される（図６参照）。また、仮想直線Ｐと仮想直線Ｑとは、切欠き部７１１の内側において交差する。即ち、バーナ本体５０に混合管部５６が接続するバーナ本体５０の下部５０Ａが、切欠き部７１１の内側に配置される。このように、バーナ本体５０は、切欠き部７１１の内側に下部５０Ａを配置した状態で、鍋センサ５３、点火電極５４および熱電対５５をバーナ本体５０に対して精度よく配置させつつ、取付座７０に安定して固定される。
【００５１】
仮に、取付座７０に切欠き部７１１が設けられない場合、取付座７０の形状を、下部５０Ａを含めたバーナ本体５０の形状に合わせて、上下方向に複雑な形状にする必要が生ずる。取付座７０の形状が複雑化すると、取付座７０の成型において誤差が生じやすくなる場合がある。この場合、取付座７０に固定される鍋センサ５３、点火電極５４および熱電対５５の配置の精度が低下する可能性がある。また、取付座７０の形状が複雑化すると、取付座７０に第一固定部７２、第二固定部７３および第三固定部７６を設けるスペースを確保しづらくなったり、取付台６０への取付座７０の取付作業が複雑になったりする可能性もある。図９に示すように、こんろ１は、取付座７０に切欠き部７１１を設けるとともに、切欠き部７１１の内側にバーナ本体５０の下部５０Ａを配置する。そして、取付台６０の上面から上方向にＬ２（図５参照）の間隔を置いて、取付座７０の左側板部７４および右側板部７５が支持されるので、上下方向に高さを有するバーナ本体５０が、取付台６０と取付座７０との間隔において収容される。このようにして、こんろ１は、取付座７０に切欠き部７１１を設けることで取付座７０の形状が複雑化することを防止して、鍋センサ５３、点火電極５４および熱電対５５をバーナ本体５０に対して精度よく配置させることができる。
【００５２】
図１０を参照して、トッププレート３が筐体２上部に設置された状態におけるバーナ本体５０の周辺部について説明する。なお、図１０では、点火電極５４の近傍を見やすくするために、バーナヘッド５２の図示を省略している。トッププレート３に設けられているバーナ開口４の内側に、バーナ本体５０が配置される。電極挿通部３３４の内側には、トッププレート３の下方から上方へ向けて点火電極５４が挿通している。熱電対挿通部３３５の内側には、トッププレート３の下方から上方へ向けて熱電対５５が挿通している。
【００５３】
ガスバーナ５およびグリル庫７の内部において燃焼が行われる場合、燃焼に必要な空気が筐体２の内側および外側からガスバーナ５に向けて移動することで、ガスバーナ５に向かう空気の流れが発生することがある。本実施形態において、トッププレート３の上面３１および中央凹部３２には、ねじ孔等の隙間が設けられていないので、筐体２の外側の空気がバーナ開口４、電極挿通部３３４および熱電対挿通部３３５を介して筐体２の内側へ流れることがある。例えば、一方のガスバーナ５で燃焼が行われるとき、燃焼の行われていない他方のガスバーナ５に対応するバーナ開口４を介して、筐体２の外側から内側へ空気が流れる。この状態で、他方のガスバーナ５に点火しようとする場合、電極挿通部３３４を流れる空気の流れによって、点火時にバーナ本体５０から流出する混合気が点火電極５４まで到達できず、点火電極５４で放電が行われてもガスバーナ５に点火できないことがある。本実施形態では、点火電極５４は取付座７０の第一固定部７２に固定されており、第一固定部７２上部の折返部７２２は略水平に前方に延びる。これにより、点火電極５４とバーナ開口４との間の隙間が折返部７２２によって閉塞される。このため、電極挿通部３３４における点火電極５４とバーナ開口４との間を流れる空気の流れが折返部７２２によって阻害され、バーナ本体５０から流出する混合気が点火電極５４まで到達しやすくなる。このようにして、こんろ１は、第一固定部７２を用いてガスバーナ５の点火不良の発生を低減している。
【００５４】
以上説明したように、本実施形態のこんろ１は、取付座７０に切欠き部７１１が設けられており、切欠き部７１１を左右に挟む位置に、取付座７０にバーナ本体５０を固定するための固定穴７４１，７５１を配置している。このため、取付座７０の上下方向における形状を複雑にすることなく、バーナ本体５０と取付座７０との干渉を避けて、固定穴７４１，７５１に対して、バーナ本体５０のフランジ部５７，５８に設けられた固定穴５７１，５８１を介してバーナ本体５０を固定できる。取付座７０の上下方向における形状が複雑にならないので、取付座７０は、鍋センサ５３、点火電極５４および熱電対５５のそれぞれを自身に固定する第一固定部７２、第二固定部７３および第三固定部７６を設けることができる。この場合、鍋センサ５３、点火電極５４、熱電対５５およびバーナ本体５０が全て取付座７０に対して固定されるので、これらの部品が別々の取付機構に取り付けられる場合に比べて、公差の集積による部品間の位置ずれが生じにくい。また、ガスバーナ５、鍋センサ５３、点火電極５４および熱電対５５を取付台６０に取り付けるための部品点数を削減できるので、こんろ１の製造コスト・管理コストが軽減される。さらに、筐体２にガスバーナ５、鍋センサ５３、点火電極５４および熱電対５５を取り付ける作業が容易になる。バーナ本体５０の下部５０Ａには混合管部５６が接続されるので、バーナ本体５０は上下方向に高さを有する。ここで、取付座７０の前端部のうち、左側板部７４の右端７４４と、第一延出部７６１の上端７６６と、右側板部７５の左端７５４とに囲まれた部分に切欠き部７１１が形成されている。混合管部５６の延びる方向を示す仮想直線Ｐと、取付座７０の固定穴７４１，７５１とを結ぶ方向を示す仮想直線Ｑとは、切欠き部７１１の内側において交差する。即ち、バーナ本体５０の下部５０Ａは、切欠き部７１１の内側に配置される。取付台６０には、Ｌ２の高さを有する第一支持部６２、および第二支持部６３が設けられており、取付座７０の左側板部７４および右側板部７５は、第一支持部６２の上側固定部６２２の上面および第二支持部６３の上側固定部６３２のそれぞれに載置される。このため、取付座７０は、取付台６０の上面から上方向にＬ２の間隔を置いて取付台６０に取り付けられる。このため、切欠き部７１１が設けられる位置に対応する取付台６０の上方において、バーナ本体５０を収容するスペースが確保される。このようにして、仮想直線Ｐ，Ｑを基準にして、鍋センサ５３、点火電極５４および熱電対５５が精度良く配置される。このため、こんろ１は、バーナ本体５０に対して鍋センサ５３、点火電極５４および熱電対５５を配置できる。
【００５５】
取付座７０は、第三固定部７６の第一延出部７６１の下端７６１Ａを取付台６０のセンサ開口６１２外側の位置にあたる上面６１に当接させるとともに、第二延出部７６２をセンサ開口６１２の上方から下方へ挿通させた状態で、第一支持部６２および第二支持部６３によって支持される。このため、取付座７０の上下方向における位置が安定する。また、取付座７０の上下方向および前後方向における位置合わせが容易になる。また、上面６１に下端７６１Ａが当接するので、上面６１に対して第三固定部７６の上下方向における位置が規定され、バーナ本体５０に対する鍋センサ５３の位置が安定する。
【００５６】
第三固定部７６は、取付座７０のうち切欠き部７１１に接する部分である第一延出部７６１の上端７６６において下方に折り曲げられて形成されるので、取付座７０を一枚の金属板を用いて成型できる。また、複数の部材を用いて鍋センサ５３を取付台６０に固定した場合に生ずる部材ごとの公差の集積を排して、鍋センサ５３の位置ずれを低減できる。
【００５７】
ガスバーナ５，５のうち一方のガスバーナ５で燃焼が行われる場合、他方のガスバーナ５に対応するバーナ開口４に連続する電極挿通部３３４における隙間に空気の流れが発生し、点火電極５４を用いて他方のガスバーナ５に点火を行いにくくなることがある。こんろ１では、取付座７０の第一固定部７２上部の折返部７２２が略水平に前方に延びて、点火電極５４とバーナ開口４との間の隙間が閉塞される。このため、トッププレート３の電極挿通部３３４における点火電極５４とバーナ開口４との間を流れる空気の流れが折返部７２２によって阻害され、点火時にバーナ本体５０から流出する混合気が点火電極５４まで到達しやすくなる。従って、点火電極５４の点火性能の低下が防止される。
【００５８】
本実施形態において、こんろ１が、本発明の「こんろ」に相当する。筐体２が、本発明の「筐体」に相当する。ガスバーナ５が、本発明の「バーナ」に相当する。バーナ本体５０が、本発明の「バーナ本体」に相当する。バーナヘッド５２が、本発明の「バーナヘッド」に相当する。混合管部５６が、本発明の「混合管部」に相当する。点火電極５４が、本発明の「点火手段」に相当する。熱電対５５が、本発明の「火炎検知手段」に相当する。鍋センサ５３が、本発明の「温度検知手段」に相当する。取付台６０が、本発明の「取付台」に相当する。第一支持部６２および第二支持部６３が、本発明の「支持部」に相当する。センサ開口６１２が、本発明の「挿通孔」に相当する。取付座７０が、本発明の「取付座」に相当する。湾曲部７２３，７２４が、本発明の「点火手段固定部」に相当する。一対の係止爪７３２，７３２が、本発明の「火炎検知手段固定部」に相当する。固定穴７６３、一対の上係止爪７６４，７６４および一対の下係止爪７６５，７６５が、本発明の「温度検知手段固定部」に相当する。第三固定部７６が、本発明の「第一延出部」に相当する。第一延出部７６１が、本発明の「第一部分」に相当する。第二延出部７６２が、本発明の「第二部分」に相当する。第二固定部７３が、本発明の「第二延出部」に相当する。
折返部７２２が、本発明の「第三部分」に相当する。切欠き部７１１が、本発明の「切欠き部」に相当する。固定穴７４１，７５１が、本発明の「バーナ固定部」に相当する。トッププレート３が、本発明の「天板」に相当する。バーナ開口４が、本発明の「バーナ開口」に相当する。電極挿通部３３４が、本発明の「挿通部」に相当する。
【００５９】
なお、本発明は上記実施形態に限定されるものではなく、種々の変更が可能である。例えば、上記実施形態では、取付座７０の第一延出部７６１の上端７６６と下端７６１Ａとの間の長さＭ３は、取付台６０の上面６１と上側固定部６２２，６３２のそれぞれの上面との間の長さＬ３と同じ長さであるが、Ｍ３がＬ３よりも短くてもよい。この場合であっても、第三固定部７６の第二延出部７６２がセンサ開口６１２に挿入されることで、センサ開口６１２に対する第三固定部７６の前後方向および左右方向における位置が規制され、取付座７０を取付台６０に対して位置決めすることが可能である。
【００６０】
第三固定部７６は、左右方向の長さがＭ１である第一延出部７６１と、左右方向の長さがＭ２である第二延出部７６２とを備えているが、例えば、第三固定部７６が第一延出部７６１を備えず、第二延出部７６２だけを備える構成であってもよい。この場合であっても、第三固定部７６の下部がセンサ開口６１２に挿通されることで、センサ開口６１２に対する第三固定部７６の前後方向および左右方向における位置の規制が可能である。よって、取付座７０にセンサ開口６１２に挿通される部分が設けられない場合に比べて、取付座７０を取付台６０に対して位置決めすることが容易となる。
【００６１】
電極挿通部３３４および熱電対挿通部３３５は、ともにバーナ開口４に連続した凹みとして設けられていなくてもよく、例えば、バーナ開口４とは独立した孔部として五徳装着部３３における点火電極５４および熱電対５５の設置位置に対応する位置に配置されてもよい。この場合、折返部７２２が、電極挿通部３３４のうちガスバーナ５に近接する側の隙間を閉塞していれば、バーナ本体５０から流出する混合気が点火電極５４に到達しやすくなるので、上記実施形態と同様にガスバーナ５の点火不良の発生が低減される。また、折返部７２２は、立柱部７２１の上端から前方に延びていれば点火電極５４とバーナ開口４との間を流れる空気の流れを阻害できるので、必ずしも略水平に延びていなくてもよい。
【００６２】
上記実施形態において、切欠き部７１１は取付座７０の前端部に設けられているのは、バーナ本体５０の下部５０Ａに対して混合管部５６の接続する角度が比較的緩やかであるので、混合管部５６と取付座７０とが干渉することを避けるためである。従って、仮想直線Ｐに示される略前後方向に延びる混合管部５６と取付座７０の前端部とが干渉しない角度で混合管部５６がバーナ本体５０の下部５０Ａに接続する場合には、取付座７０の後端部に切欠き部７１１が設けられてもよい。また、この場合、取付座７０の前端部に第一固定部７２および第二固定部７３を設けてもよい。
【００６３】
上記実施形態において、第一支持部６２および第二支持部６３が所定の高さを有することで、取付座７０が上面６１に対して所定の間隔を置いて支持されるが、例えば、取付座７０に上面６１に対して所定の間隔を置くことのできる部材が設けられていてもよい。
【００６４】
ガスバーナ５に点火するための手段は、上記実施形態の点火電極５４に限られず、燃料ガスを含む混合気に点火可能なヒータ等であってもよい。また、上記実施形態のこんろ１は、ガスバーナ５を備えるガスこんろであるが、例えば石油等の液体燃料を含むその他の燃料を用いる種々のこんろであってもよい。
【符号の説明】
【００６５】
１    こんろ
２    筐体
３    トッププレート
４    バーナ開口
５    ガスバーナ
５０    バーナ本体
５０Ａ    下部
５２    バーナヘッド
５６    混合管部
５３    鍋センサ
５４    点火電極
５５    熱電対
６０    取付台
６２    第一支持部
６３    第二支持部
７０    取付座
７２    第二固定部
３３４    電極挿通部
６１２    センサ開口
７２３，７２４    湾曲部
７６１    第一延出部
７６２    第二延出部
７２２    第三部分
７１１    切欠き部
７４１，７５１    固定穴
７６３    固定穴
７６４    上係止爪
７６５    下係止爪
【図１】
0006546478.tif 000002
【図２】
0006546478.tif 000003
【図３】
0006546478.tif 000004
【図４】
0006546478.tif 000005
【図５】
0006546478.tif 000006
【図６】
0006546478.tif 000007
【図７】
0006546478.tif 000008
【図８】
0006546478.tif 000009
【図９】
0006546478.tif 000010
【図１０】
0006546478.tif 000011